【手続補正書】
【提出日】平成29年7月14日(2017.7.14)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）によるワイヤレス通信の方法であって、
持続的スケジューリング（ＰＳ）での使用のために、基地局（ＢＳ）に、前記ＵＥについての１つまたは複数のトラフィック要求に関する情報をシグナリングすることと、
前記ＵＥについてのトラフィックの１つまたは複数のＰＳ機会を指示するシグナリングを前記ＢＳから受信することと、
トラフィックが予期されないときに、ＰＳ機会とＰＳ機会との間に１つまたは複数の無線コンポーネントをパワーダウンすることと、
前記ＰＳ機会のために前記無線コンポーネントをパワーオンすることと、
前記ＰＳ機会のうちの１つと同じサブフレーム内で、前記ＢＳから、ダウンリンクトラフィックの指示を受信することと、
次のＰＳ機会の前に前記ＵＥが送るまたは受信する、アップリンクデータを備えるアップリンクトラフィックを検出することと、
前記次のＰＳ機会の前に前記ＵＥが送るまたは受信する、前記アップリンクトラフィックまたは前記ダウンリンクトラフィックのうちの少なくとも１つのために、前記無線コンポーネントに対しパワーオンするかまたは電力を維持することと、
前記ＢＳに前記アップリンクデータをシグナリングするために、ランダムアクセスチャネル（ＲＡＣＨ）プロシージャを実行することと、
前記ＲＡＣＨプロシージャを通して、前記ＵＥのユニークアイデンティティを示すことと、
を備える、方法。
【請求項２】
前記情報は、予期されるダウンリンクおよびアップリンクトラフィック到着率、遅延許容量、またはトラフィックサイズのうちの少なくとも１つを備える、請求項１に記載の方法。
【請求項３】
前記無線コンポーネントがＰＳ機会とＰＳ機会との間でパワーダウンされる間、
アップリンク（ＵＬ）割当についてモニタリングすることと、
ハイブリッド自動再送要求（ＨＡＲＱ）の再送のためにウェイクアップすることと、
物理ＨＡＲＱインジケータチャネル（ＰＨＩＣＨ）をモニタリングすることと、
のうちの１つまたは複数を実行することを控えることをさらに備える、請求項１に記載の方法。
【請求項４】
前記ダウンリンクトラフィックの前記指示は、ダウンリンク物理制御チャネル、または前記ＰＳ機会において受信されるデータチャネルの１つまたは複数のビットのうちの少なくとも１つにおいて受信される、請求項１に記載の方法。
【請求項５】
前記受信することは、前記ＵＥのためのダウンリンクデータを指示するページを検出することを備える、請求項１に記載の方法。
【請求項６】
前記ダウンリンクデータについての情報をスケジューリングすることは、物理ダウンリンク制御チャネル（ＰＤＣＣＨ）または発展型ＰＤＣＣＨ（ｅＰＤＣＣＨ）のうちの少なくとも１つにおいて提供される、請求項５に記載の方法。
【請求項７】
前記無線コンポーネントをパワーオンした後に、規格によって定義された全周波数ラスタセットのうちの１つのサブセットである制限された周波数ラスタセットを探索すること、
をさらに備える、請求項１に記載の方法。
【請求項８】
前記次のＰＳ機会中、持続的スケジューリングされないリソースにおいて前記ＵＥが送るまたは受信する他のトラフィックを検出することと、
前記次のＰＳ機会中、持続的スケジューリングされないリソースにおいて前記ＵＥが送るまたは受信する前記他のトラフィックのために前記無線コンポーネントに対しパワーオンするかまたは電力を維持することと、
さらに備える、請求項１に記載の方法。
【請求項９】
前記次のＰＳ機会中、持続的スケジューリングされないリソースにおいて前記ＵＥが送るまたは受信する前記他のトラフィックは、アップリンクデータを備え、前記方法はさらに、
前記ＢＳに前記アップリンクデータをシグナリングするために別のランダムアクセスチャネル（ＲＡＣＨ）プロシージャを実行することと、
前記ＲＡＣＨプロシージャにおいて前記ＵＥの無線ネットワーク一時識別子（ＲＮＴＩ）を示すことと、
を備える、請求項８に記載の方法。
【請求項１０】
ワイヤレス通信のための装置であって、
持続的スケジューリング（ＰＳ）での使用のために、基地局（ＢＳ）に、前記装置についての１つまたは複数のトラフィック要求に関する情報をシグナリングすることと、
前記装置についてのトラフィックの１つまたは複数のＰＳ機会を指示するシグナリングを前記ＢＳから受信することと、
トラフィックが予期されないときに、ＰＳ機会とＰＳ機会との間に１つまたは複数の無線コンポーネントをパワーダウンすることと、
前記ＰＳ機会のために前記無線コンポーネントをパワーオンすることと、
前記ＰＳ機会のうちの１つと同じサブフレーム内で、前記ＢＳから、ダウンリンクトラフィックの指示を受信することと、
次のＰＳ機会の前に前記装置が送るまたは受信する、アップリンクデータを備えるアップリンクトラフィックを検出することと、
前記次のＰＳ機会の前に前記装置が送るまたは受信する、前記アップリンクトラフィックまたは前記ダウンリンクトラフィックのうちの少なくとも１つのために、前記無線コンポーネントに対しパワーオンするかまたは電力を維持することと、
前記ＢＳに前記アップリンクデータをシグナリングするために、ランダムアクセスチャネル（ＲＡＣＨ）プロシージャを実行することと、
前記ＲＡＣＨプロシージャを通して、前記装置のユニークアイデンティティを示すことと、
を行うように構成された少なくとも１つのプロセッサと、
前記少なくとも１つのプロセッサに結合されたメモリと、
を備える、装置。
【請求項１１】
トラフィック要求に関する前記情報は、予期されるダウンリンクおよびアップリンクトラフィック到着率、遅延許容量、またはトラフィックサイズのうちの少なくとも１つを備える、請求項１０に記載の装置。
【請求項１２】
前記無線コンポーネントがＰＳ機会とＰＳ機会との間でパワーダウンされる間、前記装置は、
アップリンク（ＵＬ）割当についてモニタリングすることと、
ハイブリッド自動再送要求（ＨＡＲＱ）の再送のためにウェイクアップすることと、
物理ＨＡＲＱインジケータチャネル（ＰＨＩＣＨ）をモニタリングすることと、
のうちの１つまたは複数を控える、請求項１１に記載の装置。
【請求項１３】
前記ダウンリンクトラフィックの前記指示は、ダウンリンク物理制御チャネル、または前記ＰＳ機会において受信されるデータチャネルの１つまたは複数のビット、のうちの少なくとも１つにおいて受信される、請求項１０に記載の装置。
【請求項１４】
前記受信することは、前記装置のためのダウンリンクデータを指示するページを検出することを備える、請求項１０に記載の装置。
【請求項１５】
前記ダウンリンクデータのための情報をスケジューリングすることは、物理ダウンリンク制御チャネル（ＰＤＣＣＨ）または発展型ＰＤＣＣＨ（ｅＰＤＣＣＨ）のうちの少なくとも１つにおいて提供される、請求項１４に記載の装置。
【請求項１６】
前記少なくとも１つのプロセッサはさらに、
前記無線コンポーネントをパワーオンした後に、規格によって定義された全周波数ラスタセットのうちの１つのサブセットである制限された周波数ラスタセットを探索すること、
を行うように構成される、請求項１０に記載の装置。
【請求項１７】
前記少なくとも１つのプロセッサはさらに、
前記次のＰＳ機会中、持続的スケジューリングされないリソースにおいて前記装置が送るまたは受信する他のトラフィックを検出することと、
前記次のＰＳ機会中、持続的スケジューリングされないリソースにおいて前記装置が送るまたは受信する前記他のトラフィックのために前記無線コンポーネントに対しパワーオンするかまたは電力を維持することと、
を行うように構成される、請求項１０に記載の装置。
【請求項１８】
前記次のＰＳ機会中、持続的スケジューリングされないリソースにおいて前記装置が送るまたは受信する前記他のトラフィックは、アップリンクデータを備え、
前記少なくとも１つのプロセッサはさらに、
前記ＢＳに前記アップリンクデータをシグナリングするために別のランダムアクセスチャネル（ＲＡＣＨ）プロシージャを実行することと、
前記ＲＡＣＨプロシージャにおいて前記装置の無線ネットワーク一時識別子（ＲＮＴＩ）を示すことと、
を行うように構成される、請求項１７に記載の装置。
【請求項１９】
ワイヤレス通信のための装置であって、
持続的スケジューリング（ＰＳ）での使用のために、基地局（ＢＳ）に、前記装置についての１つまたは複数のトラフィック要求に関する情報をシグナリングするための手段と、
前記装置についてのトラフィックの１つまたは複数のＰＳ機会を指示するシグナリングを前記ＢＳから受信するための手段と、
トラフィックが予期されないときに、ＰＳ機会とＰＳ機会との間に無線コンポーネントをパワーダウンするための手段と、
前記ＰＳ機会のために前記無線コンポーネントをパワーオンするための手段と、
前記ＰＳ機会のうちの１つと同じサブフレーム内で、前記ＢＳから、ダウンリンクトラフィックの指示を受信するための手段と、
次のＰＳ機会の前に前記装置が送るまたは受信する、アップリンクデータを備えるアップリンクトラフィックを検出するための手段と、
前記次のＰＳ機会の前に前記装置が送るまたは受信する、前記アップリンクトラフィックまたは前記ダウンリンクトラフィックのうちの少なくとも１つのために、前記無線コンポーネントに対しパワーオンするかまたは電力を維持するための手段と、
前記ＢＳに前記アップリンクデータをシグナリングするために、ランダムアクセスチャネル（ＲＡＣＨ）プロシージャを実行するための手段と、
前記ＲＡＣＨプロシージャを通して、前記装置のユニークアイデンティティを示すための手段と、
を備える、装置。
【請求項２０】
命令を備える非一時的なコンピュータ読取可能媒体であって、前記命令は、
持続的スケジューリング（ＰＳ）での使用のために、基地局（ＢＳ）に、ユーザ機器（ＵＥ）についての１つまたは複数のトラフィック要求に関する情報をシグナリングすることと、
前記ＵＥについてのトラフィックの１つまたは複数のＰＳ機会を指示するシグナリングを前記ＢＳから受信することと、
トラフィックが予期されないときに、ＰＳ機会とＰＳ機会との間にＵＥの無線コンポーネントをパワーダウンすることと、
前記ＰＳ機会のために前記無線コンポーネントをパワーオンすることと、
前記ＰＳ機会のうちの１つと同じサブフレーム内で、前記ＢＳから、ダウンリンクトラフィックの指示を受信することと、
次のＰＳ機会の前に前記装置が送るまたは受信する、アップリンクデータを備えるアップリンクトラフィックを検出することと、
前記次のＰＳ機会の前に前記ＵＥが送るまたは受信する、前記アップリンクトラフィックまたは前記ダウンリンクトラフィックのうちの少なくとも１つのために、前記無線コンポーネントに対しパワーオンするかまたは電力を維持することと、
前記ＢＳに前記アップリンクデータをシグナリングするために、ランダムアクセスチャネル（ＲＡＣＨ）プロシージャを実行することと、
前記ＲＡＣＨプロシージャを通して、前記ＵＥのユニークアイデンティティを示すことと、
を行うように実行可能である、非一時的なコンピュータ読取可能媒体。